(57)【要約】【課題】この発明の主たる目的は、種々のキャラクターをプリントした印鑑を得ることにより、ファッション性に優れ、飛躍的に装飾性を高めた印鑑を提供することにある。【解決手段】印材の表面に極薄の化粧シールを貼付し、その表面を透明塗料で、化粧シールの厚みを感じさせないようコーティングしたことを特徴とする装飾性を高めた印鑑。【選択図】          図１
2004306318.tif 000002
【特許請求の範囲】
【請求項１】
印材の表面に極薄の化粧シールを貼付し、その表面を透明塗料で、化粧シールの厚みを感じさせないようコーティングしたことを特徴とする装飾性を高めた印鑑。
【請求項２】
前記化粧シールとして、種々のキャラクターをプリントされた印刷物等が用いられる、請求項１に記載の装飾性を高めた印鑑。
【請求項３】
前記透明塗料がウレタン系塗料、アクリル系塗料、ポリエステル系塗料等から選ばれてなる請求項１または請求項２に記載の装飾性を高めた印鑑。
【発明の詳細な説明】
【０００１】
【発明の属する技術分野】
この発明は装飾性を高めた印鑑に関し、特に種々のキャラクターをプリントした印鑑に関し、ファッション性に優れ、飛躍的に装飾性を高めた印鑑を提供しようとするものである。
【０００２】
【従来の技術】
この発明の背景となる従来の印鑑としては、特開２０００−２８９３１４号公報（特許文献１参照）のように所定のキャラクターを成形して印判体と結合した印鑑や、印鑑の所有者が所定のキャラクターを印刷したシールを自分で印鑑の側面に貼付したものが一般的であった。
【０００３】
【特許文献１】
特開２０００−２８９３１４号公報
【０００４】
【発明が解決しようとする課題】
ところが、前者の特許文献１に示す印鑑においては、キャラクターをいちいち成形する必要があるので、品揃えを豊富にしようとする場合には初期の金型等にかかるコストがかさんでしまい、また捺印の際にキャラクターの凹凸が邪魔になってしまう。
【０００５】
また、後者の印鑑の所有者が所定のキャラクターを印刷したシールを自分で印鑑の側面に貼付するものにおいては、短期間でシールが汚れたり、磨耗してしまうという問題があった。これはシールの素材として透明なプラスチック素材等を用いた場合であっても同様で、プラスチック製シールの端面が短期間でめくれ上がったり、はがれたりするという問題があった。
【０００６】
それゆえに、この発明の主たる目的は、種々のキャラクターをプリントした印鑑を得ることにより、ファッション性に優れ、飛躍的に装飾性を高めた印鑑を提供することにある。
【０００７】
【課題を解決するための手段】
この発明にかかる装飾性を高めた印鑑は、印材の表面に極薄の化粧シールを貼付し、その表面を透明塗料で、化粧シールの厚みを感じさせないようコーティングしたことを特徴とするものである。
【０００８】
この発明にかかる装飾性を高めた印鑑は、前記化粧シールとして、種々のキャラクターをプリントされた印刷物等を用いることを特徴とするものである。
【０００９】
この発明にかかる装飾性を高めた印鑑は、前記透明塗料がウレタン系塗料、アクリル系塗料、ポリエステル系塗料等から選ばれてなることをも特徴とするものである。
【００１０】
この発明の装飾性を高めた印鑑に使用される極薄の化粧シールは、厚さが０．２ｍｍ以下の紙、不織布、プラスチックシートないしフィルム、アルミ箔等の金属箔であることが望ましい。もちろんこれらの化粧シールとしては、種々のキャラクターをプリントされた印刷物、手書きで表現されたもの、あるいはエッチングや打抜き加工等で模様を表現したもの、捺染されたもの等を適宜使用することができる。
【００１１】
また、この発明にかかる装飾性を高めた印鑑では、上記化粧シールの裏面に粘着剤層を形成しておくことが望ましい。さらに、この発明にかかる装飾性を高めた印鑑では、上記粘着剤層の表面が剥離台紙に仮着されてもよい。このような化粧シールは、剥離台紙を剥がして貼付するだけで簡単に印鑑の側面に取り付けることができる。
【００１２】
この発明にかかる装飾性を高めた印鑑は、化粧シールの表面に透明塗料を塗布されており、この透明塗料は化粧シールの厚みを感じさせないような厚さの層となるようにコーティングされている。なお、上記透明塗料としては、ウレタン系塗料、アクリル系塗料、ポリエステル系塗料等から選ばれたものとすることが望ましい。
【００１３】
【発明の実施の形態】
以下図面に基いて、この発明に係る装飾性を高めた印鑑の実施の形態を詳細に説明する。
図１はこの発明にかかる装飾性を高めた印鑑の一実施例を示す斜視図であり、図２はその中央縦断面図、図３はその拡大横断面図である。
【００１４】
図１ないし図３に示す装飾性を高めた印鑑１１としては、通常の円柱状の印材のみならず、角型の印材、あるいは小判型の印鑑等の、適宜形状をした印材を利用することができる。なお、図では一般的な円柱状の印材１３を示している。
【００１５】
上記印材１３の例えば側面には、極薄の化粧シール１５が貼付される。すなわち化粧シール１５は、厚さが０．２ｍｍ以下の上質紙等からなる紙、不織布、プラスチックシートないしフィルム、アルミ箔等の金属箔であることが望ましい。もちろんこれらの化粧シール１５としては、種々のキャラクターをプリントされた印刷物、手書きで表現されたもの、あるいはエッチングや打抜き加工等で模様を表現したもの、捺染されたもの等を適宜使用することができる。
【００１６】
これらの化粧シール１５は剥離台紙に仮着しておき、ミシン目等の切れ目を形成しておくことにより、化粧シール１５は剥離台紙から剥がして印材１３の側面等に貼付するだけで簡単に印鑑１１の側面に取り付けることができる。
【００１７】
この発明にかかる装飾性を高めた印鑑１１は、上記化粧シール１５の表面に、透明塗料１７を塗布されている。そしてこの透明塗料１７は化粧シール１５の厚みを感じさせないような厚さの層となるようにコーティングされている。すなわち、化粧シール１５のポイント以外の面を、化粧シール１５の厚さ以上に透明塗料の層を厚くして凹凸をなくしているのである。なお、上記透明塗料１７としては、ウレタン系塗料、アクリル系塗料、ポリエステル系塗料等から選ばれたものとすることが望ましい。
【００１８】
この発明の上記装飾性を高めた印鑑１１においては、予め印材１３の表面を所定の色合いに着色しておくことができる。無論この発明では、印材１３に着色料が塗布されなくてもよく、また印材１３に着色料が含浸されなくてもよい。
【００１９】
なお、上述の装飾性を高めた印鑑１１における印材１３、切れ目、剥離台紙などの構成は単なる例示であって、それらは他の素材や形状、構造とすることも可能である。
【００２０】
【発明の効果】
以上の説明によって明らかなように、この発明によれば、種々のキャラクターをプリントした印鑑であって、ファッション性に優れ、飛躍的に装飾性を高めた印鑑を提供することができるようになった。
【００２１】
この発明にかかる装飾性を高めた印鑑１１は、上記化粧シール１５の表面に、透明塗料１７を塗布されている。そしてこの透明塗料１７は化粧シール１５の厚みを感じさせないような厚さの層となるようにコーティングされている。すなわち、化粧シール１５のポイント以外の面を、化粧シール１５の厚さ以上に透明塗料の層を厚くして凹凸をなくしているのである。なお、上記透明塗料１７としては、ウレタン系塗料、アクリル系塗料、ポリエステル系塗料等から選ばれたものとすることが望ましい。
【図面の簡単な説明】
【図１】この発明にかかる装飾性を高めた印鑑の一実施例を示す斜視図である。
【図２】その中央縦断面図である。
【図３】その拡大横断面図である。
【符号の説明】
１１  印鑑
１３  印材
１５  化粧シール
１７  透明塗料
【図１】
2004306318.tif 000003
【図２】
2004306318.tif 000004
【図３】
2004306318.tif 000005